(57)【要約】【課題】回転ドラムを傾斜配置した場合に洗濯物が回転ドラムの低い位置に偏ってしまうことを防止する構造を備えたドラム式洗濯機または洗濯乾燥機を提供する。【解決手段】有底円筒形に形成された回転ドラム５の回転速度と相対的な回転速度差を有する回転部材３０を回転ドラム５の内底部に設けることにより、ドラム底面側の洗濯物が強制的に移動させられ、傾斜している回転ドラム５の底面側に洗濯物が偏ってしまう状態を改善するものである。【選択図】図１
2005253567.tif 000002
【特許請求の範囲】
【請求項１】
有底円筒形に形成された回転ドラムをその回転軸心が開口端側から底面側に向けて下向き傾斜となるように水槽内に配設し、前記回転ドラムの回転速度と相対的な回転速度差を有する回転部材を前記回転ドラムの内底部に設けたドラム式洗濯機または洗濯乾燥機。
【請求項２】
回転部材は水槽に対して回転駆動することにより、回転ドラムの回転速度と相対的な回転速度差を有する請求項１記載のドラム式洗濯機または洗濯乾燥機。
【請求項３】
回転部材は水槽に対して静止させることにより、回転ドラムの回転速度と相対的な回転速度差を有する請求項１記載のドラム式洗濯機または洗濯乾燥機。
【請求項４】
回転部材は略円板状をなし、その回転軸心は回転ドラムの回転軸心と一致させた請求項１〜３のいずれか１項に記載のドラム式洗濯機または洗濯乾燥機。
【請求項５】
回転部材は回転ドラムの内底面から内部へ突出する突起体を有し、その回転軸心は回転ドラムの回転軸心と一致させた請求項１〜３のいずれか１項に記載のドラム式洗濯機または洗濯乾燥機。
【請求項６】
回転部材は回転ドラムの回転速度より速い回転速度で回転駆動される請求項４または５記載のドラム式洗濯機または洗濯乾燥機。
【請求項７】
回転部材は回転ドラムの回転速度より遅い回転速度で回転駆動される請求項４または５記載のドラム式洗濯機または洗濯乾燥機。
【請求項８】
回転部材の回転軸を固定して回転部材を水槽に対して静止させる請求項４または５記載のドラム式洗濯機または洗濯乾燥機。
【請求項９】
回転部材の表面は摩擦係数の小さい材料により形成されてなる請求項１〜３のいずれか１項に記載のドラム式洗濯機または洗濯乾燥機。
【発明の詳細な説明】
【技術分野】
【０００１】
本発明は、回転ドラムをその回転軸心が正面側から背面側に向けて下向き傾斜になるように水槽内に配設したドラム式洗濯機または洗濯乾燥機に関するものである。
【背景技術】
【０００２】
図９は、従来技術に係るドラム式洗濯機の構成を示すもので、洗濯機筐体６７内に回転ドラム６１がその回転軸方向が水平方向になるようにして水槽６３内に配置されている。洗濯機筐体６７の正面側に設けられた扉体６４を開き、扉体６４に対向させて水槽６３に形成されている洗濯物出入口６８から回転ドラム６１内に洗濯物を投入し、ドラム駆動モータ６５によって回転ドラム６１を回転させることにより、回転ドラム６１内に収容された洗濯物を回転ドラム６１の内周壁に設けられた攪拌突起６６に引っ掛けて持ち上げ、持ち上げられた洗濯物が適当な高さから落下することによって洗濯物が叩き洗いされる（例えば、特許文献１参照）。
【０００３】
上記構成のドラム式洗濯機に乾燥機能を設けることにより、洗濯に加えて脱水後の洗濯物や濡れた衣類等を乾燥する機能を備えたドラム式洗濯乾燥機に構成することができる。即ち、水槽６３内から排気すると、回転ドラム６１内の湿気を含む空気が周面に多数形成された透孔６２から排出されるので、湿気を含む空気を除湿手段に通して除湿した後、加熱手段によって加熱して再び水槽６３内の送風する空気循環経路を形成することにより、回転ドラム６１内に収容した洗濯物や衣類を乾燥することができる。
【０００４】
しかし、ドラム式洗濯機もしくはドラム式洗濯乾燥機は、回転ドラム６１を横向きに配しているため洗濯物の出し入れは正面側から行うことになり、腰を屈める作業が伴う苦痛や日本の狭い住宅事情に不適な構造とされてきた。このドラム式洗濯乾燥機の課題を解決すべく、回転ドラム６１の開口する側が上向きとなるように回転軸心を傾斜させることにより、洗濯物の出し入れを容易にして、狭い空間にも配置することができるドラム式洗濯乾燥機に構成することができる。
【特許文献１】特開平９−２１５８９４号公報
【発明の開示】
【発明が解決しようとする課題】
【０００５】
しかしながら、回転ドラム６１を水平方向から前上がりに傾斜させると、回転ドラム６１内に収容された洗濯物は回転ドラム６１内の低い位置、即ち有底円筒形に形成された回転ドラム６１の底側に偏り、更に回転ドラム６１を回転させると、回転ドラム６１の内周面に設けられた攪拌突起６６に引っ掛けられて円周方向に持ち上げられた洗濯物が上方から落下したとき回転ドラム６１の底面側に落ちるため、回転ドラム６１の回転は洗濯物を底側に集めるように作用する。従って、回転ドラム６１を傾斜配置した構造のドラム式洗濯乾燥機においては、全ての洗濯物に満遍なく洗濯及び乾燥の作用が及ばないという課題があった。
【０００６】
特に、乾燥工程においては洗濯物に満遍なく温風を当てて乾燥を促進させる必要があるが、乾燥工程時には回転ドラム６１内に水の貯留がないため水の流動に伴う洗濯物の移動がなく、乾燥が進行するほどに軽くなってくる洗濯物は回転ドラム６１の内周面に設けられた攪拌突起６６による攪拌作用も受け難くなるので、洗濯物が回転ドラム６１の底面側に溜まりやすく、乾燥ムラやシワが発生しやすくなる課題があった。
【０００７】
本発明が目的とするところは、回転ドラムを傾斜させて配置した構造においても洗濯物の攪拌が充分になされる構造を備えたドラム式洗濯機または洗濯乾燥機を提供することにある。
【課題を解決するための手段】
【０００８】
上記の課題を解決するために、本発明のドラム式洗濯機または洗濯乾燥機は、有底円筒形に形成された回転ドラムをその回転軸心が開口端側から底面側に向けて下向き傾斜となるように水槽内に配設し、前記回転ドラムの回転速度と相対的な回転速度差を有する回転部材を回転ドラムの内底部に設けたことを特徴とする。
【０００９】
上記構成によるドラム式洗濯乾燥機の洗濯または乾燥工程において、回転ドラムの回転により上方に持ち上げられた洗濯物は回転ドラムの底面側に落ちようとするが、回転ドラム内底部の回転部材に当たると回転ドラムに対して強制的に移動させる力を受け、洗濯物を攪拌する作用を生じる。従って、回転ドラムを傾斜配置した構造のドラム式洗濯乾燥機においては、回転ドラムの回転速度と相対的な回転速度差を有する回転部材を回転ドラムの内底部に設けることにより、ドラム底面側の洗濯物が強制的に移動させられ、傾斜している回転ドラムの底面側に洗濯物が偏ってしまう状態が改善される。
【発明の効果】
【００１０】
本発明のドラム式洗濯機または洗濯乾燥機は、回転ドラム内での洗濯物の攪拌による移動を良好に行うことができ、乾燥ムラやシワの発生を防止することができる。
【発明を実施するための最良の形態】
【００１１】
第１の発明は、有底円筒形に形成された回転ドラムをその回転軸心が開口端側から底面側に向けて下向き傾斜となるように水槽内に配設し、前記回転ドラムの回転速度と相対的な回転速度差を有する回転部材を回転ドラムの内底部に設けたことにより、ドラム底面側の洗濯物が強制的に移動させられ、傾斜している回転ドラムの底面側に洗濯物が偏るのを防止することができる。
【００１２】
第２の発明は、特に、第１の発明の回転部材を水槽に対して回転駆動するもので、回転部材の駆動機構を水槽に取り付けることにより容易に構成できる。
【００１３】
第３の発明は、特に、第１の発明の回転部材を水槽に対して静止させるもので、回転部材の固定機構を水槽に取り付けることにより容易に構成できる。
【００１４】
第４の発明は、特に、第１〜第３のいずれか１つの発明の回転部材は略円板状をなし、その回転軸心を回転ドラムの回転軸心と一致させるもので、１つの駆動手段により回転部材と回転ドラムとの両方の回転駆動が可能になり、本体の小型軽量化と低コスト化が図れる。
【００１５】
第５の発明は、特に、第１〜第３のいずれか１つの発明の回転部材は回転ドラムの内底面から内部へ突出する突起体を有し、その回転軸心を回転ドラムの回転軸心と一致させるもので、１つの駆動手段により回転部材と回転ドラムとの両方の回転駆動が可能になり、本体の小型軽量化と低コスト化が図れるととともに、突起体によって洗濯物の撹拌をより効率良く行うことができる。
【００１６】
第６の発明は、特に、第４または第５の発明の回転部材は回転ドラムの回転速度より速い回転速度で回転駆動されるもので、回転部材と回転ドラムとを同一方向に回転することにより、回転部材と回転ドラムとの間に洗濯物が噛み込んでロックしたり洗濯物を傷めたりすることが少なく、かつ回転部材と回転ドラムの相対的な回転速度差を大きくできるので洗濯物の撹拌効果を高めることができる。
【００１７】
第７の発明は、特に、第４または第５の発明の回転部材は回転ドラムの回転速度より遅い回転速度で回転駆動されるもので、回転部材と回転ドラムとを同一方向に回転することにより、回転部材と回転ドラムとの間に洗濯物が噛み込んでロックしたり洗濯物を傷めたりすることが少なく、かつ回転部材を駆動するための動力が小さくてすむ。
【００１８】
第８の発明は、特に、第４または第５の発明の回転部材を水槽に対して静止させるもので、回転部材を回転駆動するための駆動手段が不要になる。
【００１９】
第９の発明は、特に、第１〜第３のいずれか１つの発明の回転部材の表面は摩擦係数の小さい材料により形成されてなるもので、回転部材に当たった洗濯物をスムーズに移動でき、撹拌効率が向上できるとともに回転部材を駆動するための動力が小さくてすむ。
【００２０】
（実施の形態１）
図１は、本発明の第１の実施形態に係るドラム式洗濯乾燥機１の要部構成を示すもので、洗濯機筐体２内に図示しないサスペンション構造により水槽３が支持され、この水槽３内に有底円筒形に形成された回転ドラム５が配置されている。前記水槽３及び回転ドラム５は、開口端側を洗濯機筐体２の正面側に、底面側を洗濯機筐体２の背面側にして、その回転軸心Ｒが正面側から背面側に向けて水平方向Ｈから角度θで下向き傾斜となるように支持され、回転ドラム５は水槽３の底面に取り付けられたドラム駆動モータ４によって回転駆動される。
【００２１】
水槽３は、有底円筒形に形成された水槽本体３ａの開口端に、洗濯物を回転ドラム５内から出し入れするための洗濯物出入口１１を形成した水槽蓋体３ｂを接合して構成され、この洗濯物出入口１１に対向させて洗濯機筐体２の正面側に形成された傾斜面２ａには開閉自在に扉体８が設けられている。この扉体８を開くことにより回転ドラム５に対して洗濯物を出し入れすることができ、扉体８の一部あるいは全体を透明体によって形成することにより、回転ドラム５内を外部から透視することができる。尚、洗濯物出入口１１の周囲には、柔軟な弾性体によって形成されたベローズ１３が配設され、扉体８を閉じると、その内面にベローズ１３の一端が圧接し、回転ドラム５の回転に伴って飛散する水が水槽３内から外に飛び出すのを防止している。
【００２２】
上記構成のように回転ドラム５が傾斜配置され、その開口部に対向させて洗濯機筐体２に扉体８を設けることにより、図２に外観図として示すように、扉体８はドラム式洗濯乾燥機１の前に立つ人の顔方向に向くようになり、扉体８を開いて回転ドラム５に対して洗濯物を出し入れする作業に際して腰を屈める程度が少なくなり、楽に洗濯物を出し入れすることができる。従って、ドラム式洗濯乾燥機１の正面に余裕のある空間を確保する必要もなく、従来の縦型洗濯機を設置していた洗面所などの狭いスペースにドラム式洗濯乾燥機１を設置することが可能となり、狭い日本の住環境にも適合するドラム式洗濯乾燥機１に構成することができる。
【００２３】
前記洗濯物出入口１１の形成位置は、その中心位置が回転ドラム５の回転軸心Ｒから上方向に偏心させて形成され、この洗濯物出入口１１に対向させ、中心位置を洗濯機出入口１１の中心線上に略一致させて扉体８が設けられている。扉体８の直径はドラム式洗濯乾燥機１の設置場所の制約などから最適の寸法があり、回転ドラム５の開口径より小さくなる。また、扉体８の直径に対応して洗濯物出入口１１の直径も設定されるので、やはり回転ドラム５の開口径より小さくなる。
【００２４】
上述のように洗濯物出入口１１及び扉体８をその中心位置が回転ドラム５の回転軸心から上方向に偏った位置に設けると、扉体８を開いて洗濯物出入口１１を通して回転ドラム５の内部を覗いたとき、死角となる部分が少なくなり、回転ドラム５内に収容した洗濯物が広範囲にわたって見えるので、洗濯物の取り出し忘れなどが生じ難くなる。特に、本実施形態に係るドラム式洗濯乾燥機１のように、回転ドラム５を傾斜配置し、回転ドラム５の傾斜角度に対応させた傾斜面２ａに扉体８を設けた構成においては、より広範囲に回転ドラム５の内部を見ることができる。
【００２５】
回転ドラム５を傾斜配置する傾斜角度θは、θ＝２０〜４０度に設定することにより、子供（幼児を除く）から大人までの身長差があっても、車椅子を使用する障害者であっても、洗濯物の出し入れの作業が最も行い易い状態が得られる。この回転ドラム５の傾斜配置に加えて、洗濯物出入口１１及び扉体８の中心位置が回転ドラム５の回転軸心Ｒから上方向に偏っていることにより、洗濯物の出し入れが容易になるばかりでなく、透明な扉体８から洗濯の各工程における動作状態も観察しやすくなる。
【００２６】
しかし、回転ドラム５の開口径より洗濯物出入口１１の開口径が小さく、回転ドラム５の回転軸心Ｒから洗濯物出入口１１の中心位置が一方に偏っていると、図示するように回転ドラム５の開口端に水槽蓋体３ｂの下方がオーバーラップすることになる。この状態で回転ドラム５の開口端から洗濯物の一部が飛び出た場合に、回転ドラム５の回転に伴って飛び出た部分が回転ドラム５と水槽蓋体３ｂとの間に噛み込んでしまうことがある。この洗濯物の噛み込みを防止するために、水槽蓋体３ｂの回転ドラム５の開口端にオーバーラップする部分に、回転ドラム５内に向けて突出する噛み込み防止突起１４が三日月状の形状に設けられている。
【００２７】
図３及び図４は、ドラム式洗濯乾燥機１が備える乾燥機能の構成を示すもので、水槽３の側周面に除湿ダクト１６と送風ダクト１８とが一体に形成され、水槽３の外底面に図４に示すように加熱ダクト１９が取り付けられている。加熱ダクト１９内に設けられた送風ファン１５を回転駆動すると、水槽３内の空気が排気口２１から除湿ダクト１６内に排出されるので、回転ドラム５内の湿気を含む空気は周面に多数形成された透孔１７から水槽３内に出て除湿ダクト１６に排出される。
【００２８】
除湿ダクト１６内には、注水弁５３を開くことにより注水ノズル５２から注水される水により冷却される熱交換器５１を備えた除湿手段３８が配設されており、排気口２１から除湿ダクト１６内に排出された空気は熱交換器５１に冷却され、空気中に含まれた水蒸気が凝結することにより除湿される。熱交換器５１を冷却した水及び凝結によって生じた水は、破線矢印で示すように水槽３内を流下して排水溝１０から外部に排出される。
【００２９】
前記除湿ダクト１６と送風ダクト１８とは正面側で連結ダクト３２により連結されているので、白抜き矢印で示すように、除湿された空気は連結ダクト３２から除塵フィルタ１７を経て送風ダクト１８により背面側に設けられた加熱ダクト１９に送られる。
【００３０】
図４は、下管路２３と上管路２４とを上下で接合して構成される加熱ダクト１９の下管路２３を外した状態にして、加熱ダクト１９内の構成を明らかにしたものである。加熱ダクト１９内にはヒータ２０が配設されており、前記送風ダクト１８から送風されてきた空気はヒータ２０によって加熱されることにより所定温度の温風になって送風口２２から水槽３内に送風される。回転ドラム５の底面には、円周上に複数の開口部を形成した通気口３９が設けられており、送風口２２から水槽３内に送風された温風は前記通気口３９から回転ドラム５内に送給される。回転ドラム５の底面側から送風された温風は洗濯物に触れ、その湿気を奪うので洗濯物の乾燥が促進され、湿気を含んだ空気は再び排気口２１から除湿ダクト１６内に排気される空気循環がなされる。この除湿及び加熱を伴う空気循環が繰り返されることにより洗濯物の乾燥がなされる。
【００３１】
上記のように回転ドラム５を傾斜配置すると、洗濯物を出し入れする作業が容易になることや、回転ドラム５内に給水された水が背面側に溜まって少ない水量でも深い貯水状態が得られる利点がある反面、回転ドラム５内に収容した洗濯物は、最も低い位置となる底面側の下部に集まり、回転ドラム５を回転させると更に洗濯物を底面側に集めてしまう弊害が生じ、洗濯物個々の位置を入れ替えて全ての洗濯物に満遍なく洗浄力を与える作用が不完全になる課題が発生する。
【００３２】
また、乾燥工程時には回転ドラム５内に水の貯留がないため水の流動に伴う洗濯物の移動がなく、乾燥が進行するほどに軽くなってくる洗濯物は攪拌突起９による攪拌作用も受け難くなるので、回転ドラム５の底面側に溜まりやすくなり、送風口２２から送風された温風が全ての洗濯物に満遍なく当たる状態が得難くなる。この課題を解決するために、回転ドラム５内での洗濯物の移動を促進する構造が設けられている。
【００３３】
図５に示すように、回転ドラム５に固定されたドラム回転軸４１はドラム駆動モータ４のロータ４２に直結しており、水槽３に取り付けられたドラムベアリング４３で支持されている。このドラム回転軸４１は中空構造になっており、その内部にバックフィルタを兼ねた回転部材３０に固定された回転軸４４が軸心を一致するように挿入されベアリング４５で支持されている。図示していないが、回転部材３０には通気口３９から送風されてきた温風が回転ドラム５内に入りやすくするために多数の小孔が形成されている。ドラム駆動モータ４の後部には減速機３１が取り付けられ、ドラム回転軸４１の回転数を減速または増速して回転軸４４に伝動することにより、回転ドラム５と回転部材３０の回転速度に相対的な回転速度差を生じさせるようになっている。
【００３４】
洗濯工程または乾燥工程において、回転ドラム５の回転により上方に持ち上げられた洗濯物は回転ドラム５の底面側に落ちようとするが、回転部材３０に当たると回転ドラム５に対して強制的に移動させる力を受け洗濯物は充分に攪拌されることとなり、洗浄性能または乾燥性能を向上することができる。
【００３５】
本実施の形態のように、回転部材３０の回転軸心を回転ドラム５の回転軸心と一致させることで、ドラム駆動モータ４により回転部材３０と回転ドラム５との両方の回転駆動が可能になり本体の小型軽量化と低コスト化が図れる。
【００３６】
また、洗濯物の撹拌力を大きくするためには、回転ドラム５と回転部材３０との回転速度差を大きくすれば良い。回転ドラム５と回転部材３０の回転方向を逆にすればさらに撹拌力は大きくなるが、回転部材３０と回転ドラム５との隙間に洗濯物が引っ掛り、これが噛み込んでドラム駆動モータ４がロックしやすくなるため、本実施の形態では回転ドラム５と回転部材３０は同一方向に回転するようにしている。
【００３７】
なお、本実施の形態の構成においては、回転部材３０をドラム駆動モータ４によって回転駆動して回転ドラム５と回転部材３０の回転速度に相対的な回転速度差を生じさせているが、例えば、回転部材３０を回転駆動する専用のモータを設けても同等の効果を得ることができる。
【００３８】
（実施の形態２）
図６から図８は本発明の第２の実施の形態に係るドラム式洗濯乾燥機を示すものであり、第１の実施の形態と同一構成要件は、同一符号を付して詳細な説明は省略する。
【００３９】
図６は、本実施の形態のドラム式洗濯乾燥機１の要部構成を示すもので、水槽３及び回転ドラム５は、開口端側を洗濯機筐体２の正面側に、底面側を洗濯機筐体２の背面側にして、その回転軸心Ｒが正面側から背面側に向けて水平方向Ｈから角度θで下向き傾斜となるように支持され、回転ドラム５は水槽３の底面に取り付けられたドラム駆動モータ４によって回転駆動される。
【００４０】
図７に示すように、回転ドラム５に固定されたドラム回転軸４１はドラム駆動モータ４のロータ４２に直結しており、水槽３に取り付けられたドラムベアリング４３で支持されている。このドラム回転軸４１は中空構造になっており、その内部にバックフィルタを兼ねた回転部材３０に固定された回転軸４４が軸心を一致するように挿入されベアリング４５で支持されている。この回転部材３０には、図８に示すように回転ドラム５の内底面から内部へ突出する複数の突起体３０ａが設けられている。回転部材３０には通気口３９から送風されてきた温風が回転ドラム５内に入りやすくするために多数の小孔３０ｂが形成されている。
【００４１】
ドラム駆動モータ４の後部にはクラッチ４５が取り付けられ、ドラム回転軸４１の後端部に取り付けられたクラッチ板４６をクラッチモータ４８で固定することにより回転部材３０を水槽３に対して静止させる。このクラッチモータ４８の制御により、回転部材３０を水槽３に対して静止させたり、回転自由にさせたりの切り替えができる。回転ドラム５の回転中に回転部材３０を静止させることにより、回転ドラム５と回転部材３０の回転速度に相対的な回転速度差を生じさせるようになっている。
【００４２】
洗濯工程または乾燥工程において、回転ドラム５の回転により上方に持ち上げられた洗濯物は回転ドラム５の底面側に落ちようとするが、回転部材３０に当たると回転ドラム５に対して強制的に移動させる力を受け洗濯物は充分に攪拌されることとなり、洗浄性能または乾燥性能を向上することができる。特に、本実施の形態では回転部材３０に突起体３０ａを設けているので、突起体３０ａによって洗濯物の撹拌をより効率良く行うことができる。
【００４３】
また、本実施の形態の回転部材３０は、回転ドラム５内に向く面は滑りやすい平滑面に仕上げられている。特に、突起体３０ａを構成する材料としてはより滑りをよくするために、４フッ化エチレン樹脂（ポリテトラフルオロエチレン：ＰＴＦＥ）に代表されるパーフルオロアルコキシ：ＰＦＡ、パーフルオロエチレン・プロペンコポリマー：ＦＥＰ、エチレン・テトラフルオロエチレンコポリマー：ＥＴＦＥなどのフッ素系樹脂や、ポリアセタール（ポリオキシメチレン：ＰＯＭ）等の摩擦係数が小さい材料によって形成、またはそれらの材料を表面にコーティングを施すことが好ましい。回転部材３０の表面を摩擦係数の小さい材料により形成することにより、回転部材３０に当たった洗濯物をスムーズに移動でき撹拌効率が向上できるとともに回転部材３０に大きな反力が作用することを防止できる。
【００４４】
以上説明した実施の形態の構成においては、回転部材３０の回転軸心を回転ドラム５の回転軸心と一致させることで最小限のスペースに回転部材３０の制御機構を組み込むことが可能となり本体の小型軽量化を図っているが、例えば回転部材を回転駆動する駆動機構を回転ドラム５に直接取り付ける構成としても、回転部材３０が回転ドラム５の回転速度と相対的な回転速度差を有すれば、傾斜している回転ドラムの底面側に洗濯物が偏ってしまう状態が改善される。
【産業上の利用可能性】
【００４５】
以上のように、本発明にかかるドラム式洗濯機または洗濯乾燥機によれば、回転ドラムを傾斜配置して洗濯物の出し入れを容易にした場合でも、回転ドラム内での洗濯物の移動を促進して洗濯物が回転ドラムの低い位置に偏るのを改善することができ、乾燥ムラやシワの発生を抑制するのに有用である。
【図面の簡単な説明】
【００４６】
【図１】本発明の第１の実施の形態におけるドラム式洗濯乾燥機の要部断面図
【図２】同ドラム式洗濯乾燥機の外観を示す斜視図
【図３】同ドラム式洗濯乾燥機の乾燥機能の構成を示す模式図
【図４】同ドラム式洗濯乾燥機の加熱ダクト内の構成を示す平面図
【図５】同ドラム式洗濯乾燥機の回転駆動部の構成を示す断面図
【図６】本発明の第２の実施の形態におけるドラム式洗濯乾燥機の要部断面図
【図７】同ドラム式洗濯乾燥機の回転駆動部の構成を示す断面図
【図８】同ドラム式洗濯乾燥機の回転部材の構成を示す平面図
【図９】従来のドラム式洗濯乾燥機の構成を示す断面図
【符号の説明】
【００４７】
１  ドラム式洗濯乾燥機
２  筐体
３  水槽
４  ドラム駆動モータ
５  回転ドラム
３０  回転部材
３０ａ  突起体
３１  減速機
４５  クラッチ
【図１】
2005253567.tif 000003
【図２】
2005253567.tif 000004
【図３】
2005253567.tif 000005
【図４】
2005253567.tif 000006
【図５】
2005253567.tif 000007
【図６】
2005253567.tif 000008
【図７】
2005253567.tif 000009
【図８】
2005253567.tif 000010
【図９】
2005253567.tif 000011